(57)【要約】【課題】ユニックのアーム先端部に取付けて、ユニックの置かれた側と、被作業物を跨いでの反対側の作業を行なうのに好適なユニックアーム吊設用足場を提供する。【解決手段】足場１が、底面に足場板３を敷設し、上部は四方を手摺枠４で囲んで形成されたゴンドラ状の足場で、足場１の背部には昇降ガイド用の支持棒５，５の下端部を嵌入させる支持ソケット６，６を設け、該支持ソケットに下端部を嵌入した支持棒５，５を手摺枠４の背部にクランプ部材７，７で着脱できるように取付けると共に、巻上げ機８はフック８ａを掛けて支持棒５，５にクランプ部材７ａ，７ａに着脱できるように取付けてなり、ワイヤーロープ９，９の巻き込みにより足場１は、支持棒５，５の上端部がアーム２の先端部に取付けられたガイド穴１０，１０にガイドされて昇降するようにしたユニックアーム吊設用足場である。【選択図】図１
0003124057.tif 000002
【実用新案登録請求の範囲】
【請求項１】
底面に足場板を敷設し、上部は四方を手摺枠で囲んで形成されたゴンドラ状の足場であって、足場の背部に昇降ガイド用の支持棒の下端部を嵌入させる支持ソケットを設け、該支持ソケットに下端部を嵌入した支持棒を背部の手摺枠に着脱可能にして取付けると共に、支持棒に巻上げ機を着脱可能にして取付けてなることを特徴とするユニックアーム吊設用足場。
【請求項２】
昇降ガイド用の支持棒が、足場の背部の左右両サイドに設けられた支持ソケットに嵌入支持されると共に、支持棒の上端には抜け止めストッパーが、ユニックのアーム先端部に取付けられたガイド穴に下方から挿通可能にして設けられてなることを特徴とする請求項１記載のユニックアーム吊設用足場。
【請求項３】
手摺枠の前方部が、足場の背部より低くして背部から前方部へ緩やかな勾配をつけて形成されてなることを特徴とする請求項１又は請求項２記載のユニックアーム吊設用足場。
【請求項４】
足場の背部に、当てブロックを付設してなることを特徴とする請求項１乃至請求項３のいずれか１項に記載のユニックアーム吊設用足場。
【考案の詳細な説明】
【技術分野】
【０００１】
本考案は、アーム付き運搬自動車（以下ユニックと言う）のアーム先端部に取付けてユニックの置かれた側と、アームを延ばして被作業物を跨いでの反対側の作業がアームを傾動させることなく行なえるようにしたユニックアーム吊設用足場に関する。
【背景技術】
【０００２】
ユニックのアーム先端部に取付けて植木等の高所剪定作業を行なうための足場は知られている。この従来の足場は、ユニックのアーム先端部に取付けてアームの傾動により昇降及び旋回させて作業を行なうようにしたものであり、一般的にはユニックが置かれた側の作業を行なうのには適するが、アームを延ばして被作業物を跨いでの反対側の作業においては、アームを傾動させて足場を昇降させるがため、被作業物にアームがぶつかったりするおそれがあり、被作業物を跨いでの反対側の作業には適さない。
【０００３】
又、ゴンドラ状の足場をアームの先端より吊り下げて垂直に昇降させるようにしたゴンドラ装置、及びゴンドラケージ吊下げ用無軌道式走行装置（特許文献１、特許文献２参照）や、伸縮、傾動及び旋回が可能なアーム及びその先端部に取付けられたゴンドラ足場を備えた壁高欄の工事に使用する自走式足場車（特許文献３参照）が開示されて公知となっている。
【０００４】
【特許文献１】特開２０００−３２０１３３号公報
【特許文献２】特開平８−１９９８０１号公報
【特許文献３】特開平８−６０８５３号公報
【考案の開示】
【考案が解決しようとする課題】
【０００５】
しかしながら、上記特許文献１、特許文献２に記載されるゴンドラケージは、建築物の屋上や途中階に移動可能に配置された台車のアームを介して吊下げられ、建築物の外壁面補修作業等を行うようになっており、特許文献３に記載されるゴンドラ足場は、伸縮、傾動及び旋回が可能なアームを有するキャタピラ式アーム先端部に取付けられて高架道路上から壁高欄の作業を行なうようになっていて、ユニックのようなアーム付き運搬自動車のアーム先端部に取付けての作業が行なえるようにしたものではない。
従って、本考案は、ユニックのようなアーム付き運搬自動車のアーム先端部に取付けて、ユニックの置かれた側と、アームを延ばして被作業物を跨いでの反対側の作業がアームを傾動させることなく行なえるようにしたユニックアーム吊設用足場を提供することを目的とし、該目的を達成することを課題とする。
【課題を解決するための手段】
【０００６】
上記目的を達成するために、本考案は以下に記載するような手段、すなわち、
（１）底面に足場板を敷設し、上部は四方を手摺枠で囲んで形成されたゴンドラ状の足場であって、足場の背部に昇降ガイド用の支持棒の下端部を嵌入させる支持ソケットを設け、該支持ソケットに下端部を嵌入した支持棒を背部の手摺枠に着脱可能にして取付けると共に、支持棒に巻上げ機を着脱可能にして取付けてなることを特徴とするユニックアーム吊設用足場である。
【０００７】
（２）昇降ガイド用の支持棒が、足場の背部の左右両サイドに設けられた支持ソケットに嵌入支持されると共に、支持棒の上端には抜け止めストッパーが、ユニックのアーム先端部に取付けられたガイド穴に下方から挿通可能に設けられてなることを特徴とする前項１記載のユニックアーム吊設用足場であり、二本の支持棒で足場の背部を支持すると共に、アーム先端部に取付けたガイド穴に支持棒の上端部を挿通させた後は、支持棒を略９０度回すことにより抜け止めストッパーの向きを変えてクランプすればガイド穴より抜け落ちないようにできる。抜け止めストッパーは、前記ガイド穴に支持棒を挿通させて、その上端に取付けても良いが、手の届かないユニックアームの先端部に設けられた高所のガイド穴に下方から挿通するには、抜け止めストッパーが支持棒の上端に取付けた状態で行なうのが好都合である。足場の向きを変えて前記支持棒を挿通させることにより、アームに対する足場の向きが容易に変えられる。
【０００８】
（３）又、前記手摺枠の前方部は、足場の背部より低くして背部から前方部へ緩やかな傾斜に形成されてなることを特徴とする前項（１）又は（２）記載のユニックアーム吊設用足場である。被作業物と向い合う前方部を低くした方が作業がやりやすいためである。
（４）更に、前記足場の背部に、当てブロックを付設してなることを特徴とする前項（１）〜（３）のいずれか１項に記載のユニックアーム吊設用足場である。傾いて重心が変動する場合など、当てブロックを当てることで安定した足場が得られるようにするためである。
【考案の効果】
【０００９】
本考案は、上記手段にて記載する如く、底面に足場板を敷設し、上方は四方を手摺枠で囲んで形成されたゴンドラ状の足場であって、足場の背部に昇降ガイド用の支持棒の下端部を嵌入させる支持ソケットを設け、該支持ソケットに下端部を嵌入した支持棒を背部の手摺枠に着脱にして取付けると共に、支持棒に巻上げ機を着脱可能にして取付けてなるものであり、ユニックのアーム先端部に設けられたガイド穴に前記支持棒を下方から挿通させることで、ユニックのアーム先端部への内向きと、その反対向きの着脱が容易であると共に、巻上げ機で足場を昇降させるのでユニックアームの傾動は必要なく、ユニックの置かれた側と、アームを延ばして被作業物を跨いでの反対側の両作業を行なうのに適し、作業する側へのユニックの移動を必要としない。特に、被作業物の表側、裏側のいずれか片側が、ユニックを移動させるスペースがない場合に効果的である。
【考案を実施するための最良の形態】
【００１０】
本考案を実施するための最良の形態は、底面に足場板を敷設し、上部は四方を手摺枠で囲んで形成されたゴンドラ状の足場であって、足場の背部に昇降ガイド用の二本の支持棒の下端部を嵌入させる支持ソケットを設け、該支持ソケットに下端部を嵌入した支持棒を背部の手摺枠に着脱可能にして取付けると共に、支持棒に巻上げ機を着脱可能にして取付けてなり、上端に抜け止めストッパーを取付けた二本の支持棒を、ユニックのアーム先端部に設けられたガイド穴に足場の前方部が内向き又は外向きになるように挿通すると共に、ユニックのアーム先端部に吊設された巻上げ機を前記支持棒に着脱可能に取付けて使用するようにした形態であり、以下実施例にて図面を参照して説明する。
【実施例１】
【００１１】
図１、図２は、本考案の実施例を示す斜視図であり、図１は、足場１が、ユニックのアーム２の先端部に内向きに吊設された実施例であり、図２は、足場１が、ユニックのアーム２の先端部に外向きに吊設された実施例であって、主として図１は、被作業物を跨いでユニックの置かれた位置と反対側の作業を行なうのに適し、図２は、ユニックの置かれた位置と同じ側の作業を行なうのに適す。
【００１２】
足場１は、図３に示すように底面に足場板３を敷設し、上部は四方を手摺枠４で囲んで形成されたゴンドラ状の足場であり、足場１の背部には図１、図２に示すように昇降ガイド用の支持棒５，５の下端部を嵌入させる支持ソケット６，６を設け、該支持ソケットに下端部を嵌入した支持棒５，５を手摺枠４の背部にクランプ部材７，７で着脱できるように取付けると共に、巻上げ機８は、フック８ａを掛けて支持棒５，５にクランプ部材７ａ，７ａにより着脱できるように取付けた構成となっており、ワイヤーロープ９，９の巻き込みにより足場１は、支持棒５，５の上端部が、アーム２の先端部に取付けられたガイド穴１０，１０にガイドされて昇降するようにしてある。
【００１３】
巻上げ機８は、ユニックのアーム２に常備され、リモコンで作動させるようにしてあるが、足場１が内向きの場合、作業者の頭がアーム２にぶつかる前に自動的に上昇を停止するようにしてあり、支持棒５，５の上端には抜け止めストッパー１１，１１を取付けて、該抜け止めストッパーは、ユニックのアーム先端部に取付けられたガイド穴１０，１０に、例えば長方形状のガイド穴にして下方より挿通可能にし、挿通した後支持棒５，５を略９０度回すことで抜け止めストッパー１１，１１はガイド穴９，９でストップされ、足場１の下降がストップされるようにしてある。
【００１４】
又、足場１は、手摺枠４の前方部Ａが背部Ｂより低くして、背部Ｂから前方部Ａへ緩やかな勾配をつけて形成されることにより前方部と向き合っての作業をやりやすくし、四箇所に棒材１ａ，１ａ，…を立て、底部外周は枠体１ｂで囲み、底面には網状の足場板３を敷設してゴンドラ状に形成され、補強板１ｃ，１ｃと足場板３の裏側は適宜補強板（図示せず）で補強してあり、背部Ｂには、下方部に前記支持棒５，５の下端部を嵌入させて支持するための支持ソケット６，６と、傾いて重心が変動する場合など、アーム先端下方部に当てて安定した足場を得るための当てブロック１２が、取付板１２ａを介して付設されている。当てブロック１２の材質は、ゴム等の弾性質のものが好ましいが、これに限定するものではなく、木製のブロックでも良い。
【００１５】
支持ソケット６，６は、図１、図３では足場１の背部下方の枠体１ｂに取付け固定されているが、図２のように足場１がアーム２の先端部に外向きにして取付けられる場合は、当てブロック１２を取付ける取付板１２ａの上端面に付設するのが、足場１の傾きを小さくするのに効果的である。
なお、足場１の四箇所に立てられた前記棒材１ａ，１ａ，…の間は、実施例では空いているが、実際は網状の側板（図示せず）を張り、一箇所は出入口の扉を設けるのが安全上望ましい。
【図面の簡単な説明】
【００１６】
【図１】本考案は内向きに吊設した実施例を示す斜視図である。
【図２】本考案を外向きに吊設した実施例を示す斜視図である。
【図３】足場の本体斜視図である。
【符号の説明】
【００１７】
１  足場
１ａ  棒材
１ｂ  枠体
１ｃ  補強板
２  アーム
３  足場板
４  手摺枠
５  支持棒
６  支持ソケット
７，７ａ  クランプ部材
８  巻上げ機
８ａ  フック
９  ワイヤロープ
１０  ガイド穴
１１  抜け止めストッパー
１２  当てブロック
１２ａ  取付板
【図１】
0003124057.tif 000003
【図２】
0003124057.tif 000004
【図３】
0003124057.tif 000005